(57)【特許請求の範囲】
【請求項１】
無線通信ネットワークインフラストラクチャエンティティを動作させる方法であって、
第１のマルチキャストブロードキャスト単一周波数ネットワーク（ＭＢＳＦＮ）サブフレームとしてフォーマットの決定された第１のサブフレームを送信する工程であって、第１のサブフレームは第１のサブフレーム内の所定の第１のシンボル位置にユニキャストシンボルを含み、前記ユニキャストシンボルは、少なくとも第１のユニキャストアンテナ基準シンボルを含み、第１のサブフレームはマルチキャストシンボルをさらに含む、前記工程と、
第１のＭＢＳＦＮサブフレームを送信することに代えて、第２のＭＢＳＦＮサブフレームとしてフォーマットの決定された第２のサブフレームを送信する工程と、を備え、
第２のサブフレームは、
第２のサブフレームの開始部に位置し、１つ以上のユニキャスト制御シンボルを含む第１の部分であって、前記１つ以上のユニキャスト制御シンボルは少なくとも第１のユニキャスト基準シンボルを含む、第１の部分と、
第２のＭＢＳＦＮサブフレーム内のマルチキャストシンボルの代わりに送信される少なくとも第２のユニキャストアンテナ基準シンボルを含む、残り部分と、を含む、方法。
【請求項２】
ユニキャスト制御シンボルは、直交周波数分割多重化（ＯＦＤＭ）シンボルであり、前記ＯＦＤＭシンボルはサブフレームにおける第１のＯＦＤＭシンボルであり、制御シンボルは制御チャネルの一部である、請求項１に記載の方法。
【請求項３】
前記制御チャネルはＰＤＣＣＨである、請求項２に記載の方法。
【請求項４】
前記ネットワークインフラストラクチャエンティティは、ＭＢＳＦＮサブフレーム中に１つ以上のアンテナに対するチャネル品質インジケータ（ＣＱＩ）の測定を可能とする基準シンボルを提供する、請求項１に記載の方法。
【請求項５】
ＭＢＳＦＮサブフレームシーケンスは半静的に構成されている、請求項１に記載の方法。
【請求項６】
前記ネットワークインフラストラクチャエンティティは、ＭＢＳＦＮサブフレーム中にＭＩＭＯ送信ランク適応および予符号化ベクトル最適化を可能とする基準シンボルを提供する、請求項１に記載の方法。
【請求項７】
前記ネットワークインフラストラクチャエンティティは、ＭＢＳＦＮサブフレーム中にＭＩＭＯ送信ランク適応および予符号化ベクトル最適化のうちの１つ以上を可能とする基準シンボルを提供する、請求項１に記載の方法。
【請求項８】
ユニキャストシンボルで置換されたマルチキャストシンボルを含む第２のＭＢＳＦＮサブフレームをクラスタ化する工程を含む、請求項１に記載の方法。
【請求項９】
複数の送信アンテナと、
前記複数の送信アンテナに結合されたトランシーバと、
前記トランシーバに結合された１つ以上のプロセッサと、を備える基地局であって、
前記トランシーバおよび前記プロセッサは、
第１のマルチキャストブロードキャスト単一周波数ネットワーク（ＭＢＳＦＮ）サブフレームとしてフォーマットの決定された第１のサブフレームを送信する工程であって、第１のサブフレームは第１のサブフレーム内の所定の第１のシンボル位置にユニキャストシンボルを含み、前記ユニキャストシンボルは、少なくとも第１のユニキャストアンテナ基準シンボルを含み、第１のサブフレームはマルチキャストシンボルをさらに含む、前記工程と、
第１のＭＢＳＦＮサブフレームを送信することに代えて、第２のＭＢＳＦＮサブフレームとしてフォーマットの決定された第２のサブフレームを送信する工程と、を実行するように構成されており、
第２のサブフレームは、
第２のサブフレームの開始部に位置し、１つ以上のユニキャスト制御シンボルを含む第１の部分であって、前記１つ以上のユニキャスト制御シンボルは少なくとも第１のユニキャスト基準シンボルを含む、第１の部分と、
第２のＭＢＳＦＮサブフレーム内のマルチキャストシンボルの代わりに送信される第２のユニキャストアンテナ基準シンボルを含む、残り部分と、を含む、基地局。
【請求項１０】
ユニキャスト制御シンボルは、１つ以上の直交周波数分割多重化（ＯＦＤＭ）シンボルを含み、前記ＯＦＤＭシンボルはサブフレームにおける第１のＯＦＤＭシンボルであり、制御シンボルは制御チャネルの一部である、請求項９に記載の基地局。
【請求項１１】
前記制御チャネルはＰＤＣＣＨである、請求項１０に記載の基地局。
【請求項１２】
前記プロセッサは、ＭＢＳＦＮサブフレーム中に１つ以上のアンテナに対するチャネル品質インジケータ（ＣＱＩ）の測定を可能とする基準シンボルを提供するように構成されている、請求項９に記載の基地局。
【請求項１３】
ＭＢＳＦＮサブフレームシーケンスは半静的に構成されている、請求項９に記載の基地局。
【請求項１４】
トランシーバと、
前記トランシーバに結合された１つ以上のプロセッサと、を備える移動局であって、
前記トランシーバおよび前記プロセッサは、
第１のマルチキャストブロードキャスト単一周波数ネットワーク（ＭＢＳＦＮ）サブフレームとしてフォーマットの決定された第１のサブフレームを受信する工程であって、第１のサブフレームは第１のサブフレーム内の所定の第１のシンボル位置にユニキャストシンボルを含み、前記ユニキャストシンボルは、少なくとも第１のユニキャストアンテナ基準シンボルを含み、第１のサブフレームはマルチキャストシンボルをさらに含む、前記工程と、
第１のＭＢＳＦＮサブフレームに代えて、第２のＭＢＳＦＮサブフレームとしてフォーマットの決定された第２のサブフレームを受信する工程と、
受信したサブフレームを処理する工程と、を実行するように構成されており、
第２のサブフレームは、
第２のサブフレームの開始部に位置し、１つ以上のユニキャスト制御シンボルを含む第１の部分であって、前記１つ以上のユニキャスト制御シンボルは少なくとも第１のユニキャスト基準シンボルを含む、第１の部分と、
第２のＭＢＳＦＮサブフレーム内のマルチキャストシンボルの代わりの少なくとも第２のユニキャストアンテナ基準シンボルを含む、残り部分と、を含む、移動局。
【請求項１５】
ユニキャスト制御シンボルは、１つ以上の直交周波数分割多重化（ＯＦＤＭ）シンボルを含み、前記ＯＦＤＭシンボルはサブフレームにおける第１のＯＦＤＭシンボルであり、制御シンボルは制御チャネルの一部である、請求項１４に記載の移動局。
【請求項１６】
前記制御チャネルはＰＤＣＣＨである、請求項１５に記載の移動局。
【請求項１７】
前記プロセッサは、受信した基準シンボルを処理し、ＭＢＳＦＮサブフレーム中に複数のアンテナに対応するチャネル品質インジケータ（ＣＱＩ）の測定を実行する、請求項１４に記載の移動局。
【請求項１８】
前記ＣＱＩ測定は、前記ＭＢＳＦＮサブフレーム中に前記複数のアンテナに対するランク適応および予符号化ベクトル最適化のうちの１つ以上を実行する、請求項１７に記載の移動局。
【請求項１９】
前記プロセッサは、ネットワークインフラストラクチャエンティティから半静的なＭＢＳＦＮサブフレームシーケンスの構成を受信して処理する、請求項１４に記載の移動局。
【発明の詳細な説明】
【技術分野】
【０００１】
本開示は、マルチメディア・ブロードキャスト・マルチキャスト・サービス（ＭＢＭＳ）を提供する通信ネットワークに関する。より詳細には、本開示は、ＭＢＭＳが通信ネットワークのカバレッジエリア内で発布（ｐｒｏｍｕｌｇａｔｅ）されたとき、ユニキャストチャネル情報の提供および受信を行うための方法および装置に関する。
【背景技術】
【０００２】
マルチメディア・ブロードキャスト・マルチキャスト・サービス（ＭＢＭＳ）については、３ＧＰＰ（第３世代パートナーシップ・プロジェクト）、ＵＭＴＳ（Ｕｎｉｖｅｒｓａｌ  Ｍｏｂｉｌｅ  Ｔｅｌｅｐｈｏｎｅ  Ｓｙｓｔｅｍ）標準規格など、様々な標準規格において説明されている。さらに最近では、ＩＥＥＥ８０２．１６ｅ−２００５年改訂または３ＧＰＰ−ＬＴＥ（Ｌｏｎｇ  Ｔｅｒｍ  Ｅｖｏｌｕｔｉｏｎ）プロジェクト（これについてはＥｖｏｌｖｅｄ  ＭＢＭＳまたはＥＭＢＭＳの用語が適用されることもある）によって例示されるものなど、直交周波数分割多重（ＯＦＤＭ）物理層に関連して指定されている。ＯＦＤＭおよび他の選択された物理層構造を通じたＭＢＭＳ（ＥＭＢＭＳはその一例である）によって、マルチキャストブロードキャスト単一周波数ネットワーク（ＭＢＳＦＮ）と呼ばれるマルチキャスト手法が可能となる。ＯＦＤＭは、１つ以上の送信元から構造的に複数の信号経路を回復可能であるサイクリックプレフィックス（ＣＰ）をＯＦＤＭシンボルが含む場合、ＭＢＳＦＮの動作に特に好適である。ＭＢＳＦＮ技術は、所与の地理的領域を通じて様々なセル（基地局トランシーバまたは「エンハンスド・ノードＢ」すなわちｅＮＢの）からサイマルキャストを行うこと（すなわち、同一の時間周波数ネットワーク資源上で送信すること）によって、動作する。そのような領域は、１群の基地局トランシーバの無線カバレッジ領域、または基地局トランシーバのアンテナカバレッジセクタによって定義されるようなより小さな領域によって、定義される場合がある。用語、単一周波数ネットワーク領域（ＳＦＡ）は、サイマルキャストを行う手続に参加するセルの集合として定義されることもある。
【０００３】
ＭＢＭＳサービス（本明細書において、一般的な用語、ＭＢＭＳは、３ＧＰＰ−ＬＴＥにより指定されるＥＭＢＭＳを含むものとして理解される）の受信に加えて、移動局（「ユーザ機器」または「ＵＥ」とも呼ばれる）は、専用チャンネルを用いて通信に参加したり、ＵＥが特定の基地局トランシーバと通信を行うユニキャストシグナリングを介して通信に参加したりもする。
【０００４】
ＭＢＳＦＮは、一般に、ＵＥが基地局トランシーバから１つの所望の複合信号を受信するように、１つ以上の基地局トランシーバ（すなわち、ＳＦＡ）からブロードキャストされるので、ユニキャスト情報のＵＥによる受信はＭＢＭＳ配信受理から識別可能である。したがって、ＭＢＭＳ受信の場合において、ＵＥには個々の基地局トランシーバ送信を判別することは不可能である。なお、この意味では、実際的な場合として、複数の基地局からのＭＢＳＦＮ送信は典型的な動作モードであると予想され、一方、単一の基地局からの送信は詳細に認識されている。
【０００５】
しかしながら、ＵＥは、モビリティおよびリンク適応目的の両方において、個々の基地局の測定を行う性能を有する必要がある。３ＧＰＰ−ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）コア仕様書では、基地局トランシーバは４つまでのアンテナポートにより定義され得る。関連する基準シンボルの集合（ＲＳ、番号付きのＲＳ０、１、２、３）が定義され、ユニキャストダウンリンクトラフィックのＭＩＭＯ（Ｍｕｌｔｉｐｌｅ  Ｉｎｐｕｔ  Ｍｕｌｔｉｐｌｅ  Ｏｕｔｐｕｔ）送信に対し適用され得る。しかしながら、ＵＥは、一般にモビリティ測定の目的でＲＳ０および１のみにアクセスを行う必要があり、さらに、ＭＢＳＦＮ送信に調和する手法により配信される特定のセルからユニキャスト送信を受信するために、ＲＳ０および１のみにアクセスを行う必要がある。
【０００６】
３ＧＰＰによって指定されるように、マルチキャストチャネル（ＭＣＨ）を通じてマルチキャストブロードキャスト単一周波数ネットワーク手法（ＭＢＳＦＮ）を用いるＭＢＭＳ送信用にフォーマットの決定されたダウンリンクサブフレームは、時分割多重化（ＴＤＭ）ユニキャストおよびＭＢＳＦＮサブフレームによって適用される（なおここで、用語、ＭＣＨおよびＭＢＳＦＮサブフレームは、１つまたは大抵の基地局によってサイマルキャストの行われるサブフレームを示す）。１つ以上の構成では、制御データに関連した任意のＭＢＳＦＮサブフレーム領域において、ＲＳ０およびＲＳ１のみが存在し、各基地局によってユニキャストモードで送信され、サブフレームのＭＢＳＦＮまたはＭＣＨ部分を通じて送信される任意の基準シンボルは、ＭＩＭＯユニキャスト送信を復調するため、または任意の後続のユニキャストサブフレーム（すなわち、３ＧＰＰ  ＬＴＥの場合において、所謂ダウンリンク共有チャネル（ＤＬ−ＳＣＨ）によって用いる専用のサブフレーム）を復調するための位相基準として用いられない場合があるＭＢＳＦＮを通じて送信される基準シンボルも、セル指定ユニキャスト送信に関連した他の目的（リンク適応やＭＩＭＯ送信ランク適応など）に用いられない場合がある。
【発明の概要】
【発明が解決しようとする課題】
【０００７】
したがって、３ＧＰＰ  ＬＴＥ（および同様のシステム）におけるＭＢＳＦＮ構造への採用済みＴＤＭ手法や、ユニキャスト割り当てサブフレームを与えると、ＭＢＳＦＮ割当（すなわち、ＭＣＨ割当）サブフレーム中にＲＳ２および３が存在しないため、ブロードキャストサブフレームに続くユニキャストサブフレームにおいて可能な全てのＭＩＭＯストリーム（４以内）について適切なリンク適応メトリックを維持することは不可能である。
【課題を解決するための手段】
【０００８】
ＭＣＨ割当サブフレームの受信中に第３および第４のアンテナ（番号が２および３のアンテナ）を観察し、第３および第４のアンテナを考慮してリンク適応を行うことを可能とするための手段、または少なくとも、非ＭＢＳＦＮ送信の再開始より前にＭＢＳＦＮを受信しつつアンテナ２および３を観察しないことの影響を最小化するための手段が必要である。
【図面の簡単な説明】
【０００９】
【図１】１つのユニキャストＯＦＤＭ制御シンボルおよび１１個のＯＦＤＭ  ＭＢＳＦＮまたはＭＣＨ関連シンボルを含み、単一のＯＦＤＭ制御シンボルがアンテナ１およびアンテナ２に対する基準シンボル（ＲＳ）を含む、代表的なＭＢＳＦＮ  ＯＦＤＭサブフレームを示すブロック図。
【図２】サブフレームの様々なシンボルがアンテナ情報を含み得る代表的なＯＦＤＭユニキャストサブフレームを示す図。
【図３】単一の制御シンボルを有する代表的なＯＦＤＭサブフレームを示すブロック図。制御シンボルの含むアンテナ情報は後続のサブフレーム上で再定義され得る。
【図４】第１の制御シンボルを有する代表的なＯＦＤＭサブフレームを示すブロック図。ユニキャスト送信を伴う第２のシンボルが送信され、アンテナ３またはアンテナ３および４についての情報を含む。
【図５】代表的なＯＦＤＭサブフレームを示すブロック図。ＭＢＳＦＮサブフレームの後の第１のユニキャストサブフレームは、アンテナ３またはアンテナ３および４についての情報を含む。
【図６】様々な実施形態による基地局トランシーバまたはｅＮＢのブロック図。
【図７】様々な実施形態による移動局またはユーザ機器（ＵＥ）のブロック図。
【図８】図３に示す実施形態によるｅＮＢの動作の方法を示すフローチャート。
【図９】図４に示す実施形態によるｅＮＢの動作の方法を示すフローチャート。
【図１０】図５に示す実施形態によるｅＮＢの動作の方法を示すフローチャート。
【発明を実施するための形態】
【００１０】
本明細書では、ＭＢＭＳフレームの発布時にユニキャスト情報を提供する方法および装置について提供する。
上述のように、移動局（「ユーザ機器」または「ＵＥ」）は、モビリティサポートおよびリンク適応の両方に対するユニキャスト情報を受信する、個々の基地局の測定を行う性能を有する必要がある。本開示では、ＭＢＭＳデータの受信時にＵＥがそのような情報を取得することができるような様々な解決策を提供する。
【００１１】
ここで、同様の数字が同様の構成要素を表す図面を参照する。図１には、３ＧＰＰ無線接続ネットワーク（ＲＡＮ）ワーキンググループによって定義されるような、ＭＢＳＦＮサブフレームを示す。ＭＢＳＦＮサブフレーム１００では、第１のＯＦＤＭシンボル１０１（シンボル番号０）、または第１のＯＦＤＭシンボル１０１と第２のＯＦＤＭシンボル１０３（シンボル番号１）との両方が、ユニキャスト制御情報を含んでよい。より一般的には、番号の大きい方のシンボルがユニキャスト制御情報を含んでよい。
【００１２】
図１によって示すように、ユニキャスト制御チャネル（３ＧＰＰ  ＬＴＥにおいてはＰＤＣＣＨと呼ばれる）の送信に第１のシンボル１０１のみが必要である場合、第１のシンボル１０１は第３および第４の基地局トランシーバについての基準シンボル（ＲＳ）を含まない、または「ｅ−ＵＴＲＡＮ  ＮｏｄｅＢ」（ｅＮＢ）アンテナポートが存在する。より詳細には、３ＧＰＰ  ＴＳ  ３６．２１１、物理チャネルおよび変調に関する３ＧＰＰ技術仕様、セクション５．６．１．２、「物理資源マッピング」、２００７年３月（引用によって本明細書に援用する）により定義されるＲＳ位置を用いて、ＲＳ２およびＲＳ３が送信されることはない。
【００１３】
例えば、ＵＥは、チャネル品質インジケータ（ＣＱＩ；Ｃｈａｎｎｅｌ  Ｑｕａｌｉｔｙ  Ｉｎｄｉｃａｔｏｒ）測定、より一般的には、ＭＢＳＦＮサブフレーム送信中における様々なアンテナに対する、ランク適応および予符号化ベクトル最適化を行うことができる。図２に示すような純粋なユニキャストサブフレームでは、ＯＦＤＭサブフレーム２００は、様々な適切なシンボル位置番号の様々なアンテナに対する基準シンボルを提供し得る。したがって、一部の解決策では、基準シンボルを提供し、ＭＢＳＦＮサブフレーム中に全てのアンテナについてＣＱＩ測定を行うことを可能とする必要がある。
【００１４】
第１の実施形態について図３によって示す。図３では、ＭＢＳＦＮサブフレーム３００は、単一のユニキャストシンボル３０１のみを含む。したがって、図３に示す実施形態では、アンテナ循環（ｒｏｔａｔｉｏｎ）、より一般的には再マッピングは、後続のＭＣＨサブフレームにおいて適用される。図３に示すように、アンテナ０（または０および１）の定義は、４つのアンテナ全ての間に再マッピングされる。この方法は、４つのｅＮＢアンテナ全てについての観測を可能にする非侵入性の方法である。
【００１５】
したがって、各アンテナがサブフレームの１つ以上の送信について「アンテナ１」として指定され、各アンテナが他の送信についてアンテナ２として指定され、のように、順番に、ＭＣＨ割当サブフレーム（または１群のサブフレーム）、アンテナ０乃至３が定義される。例えば、ｅＮＢが４つのアンテナをサポートする場合、利用可能なｅＮＢアンテナは、先験的に知られている再マッピングの順番により、ＭＣＨ割当サブフレーム３００のユニキャスト領域（すなわち、ユニキャストシンボル３０１）において再マッピングされる。このマッピングは、サブフレームの構成に応じて、１つまたは２つの基準シンボル位置上にあってよいことが理解される。循環または交換も、図３の実施形態において可能である（すなわち、アンテナポートの順番にして、１２、２３、３４、４１、または１２、３４、１２、３４など）。図３の実施形態では、ＵＥチャネル推定器をＭＢＳＦＮサブフレーム内で動作させるように制限することができるが、ユニキャスト送信の再開始前に全てのｅＮＢアンテナについての観測は可能である。
【００１６】
第１のＯＦＤＭシンボル３０１のみがＭＢＳＦＮサブフレーム３００のＰＤＣＣＨ目的で割り当てられる場合、ＴＳ  ３６．２１１ではＲＳ０およびＲＳ１に対するＲＳ位置が指定される。これらの位置は、１つのセルから次のセルへの、または１つのサブフレームから次のサブフレームへの、シンボル内におけるＲＳ位置のホッピングまたはシフトを伴ってもよい。したがって、アンテナポート３，４の観測を可能とする第１の実施形態の方法では、ＲＳと各ＭＢＳＦＮ割当サブフレームにおけるアンテナポートとの関連付けの循環、すなわち、再マッピングを行う。例えば、サブフレームｎでは、アンテナポート０，１は、それぞれＲＳ０，ＲＳ１に関連付けられているが、サブフレームｎ＋１では、アンテナポート２，３がそれぞれＲＳ０，ＲＳ１に関連付けられている、などである。
【００１７】
図４によって示す第２の実施形態では、ＭＢＳＦＮに関与する各基地局によってユニキャスト方式で送信されるアンテナ２，３の基準シンボルは、ＭＣＨもしくはデータまたは基準シンボルの位置においてＭＢＳＦＮサブフレームへ挿入される。
【００１８】
図４では、ユニキャスト制御部分４０１は、アンテナ０，１の基準シンボルを含む。ユニキャスト部分４０１には、一連のＭＣＨまたはＭＢＳＦＮ割当ＯＦＤＭシンボル（１乃至１１の番号が付けられたシンボル）が続いてよい。ＭＢＳＦＮ割当ＯＦＤＭシンボルのうちの１つ以上、例えば、シンボル番号３（４０３）、シンボル番号７（４０５）またはシンボル番号１（４０６）は、ユニキャストＯＦＤＭシンボルで置き換えられ、アンテナ２，３の追加のユニキャスト基準シンボルを含む。
【００１９】
より詳細には、最初にＰＤＣＣＨ送信についてＭＢＳＦＮサブフレーム４００における第１のＯＦＤＭシンボル４０１のみが割り当てられる場合、したがって、ＵＥにおける処理についてＲＳ０，ＲＳ１のみが最初に利用可能であった場合、ＭＢＳＦＮサブフレームの残りの部分、すなわち、サブフレーム４００の番号１乃至１１のシンボルうちの１つにより、ＲＳ２またはＲＳ２とＲＳ３とを含む追加のユニキャストシンボルが送信される。なお、ＲＳ２と、ＲＳ２およびＲＳ３とのいずれの送信も可能であるとき、許可されるアンテナポートの番号に対するさらなる制限によって、ＲＳ２およびＲＳ３のみを送信するように選択肢を制限することもできる。
【００２０】
ＭＢＳＦＮサブフレームにおいて第１のＯＦＤＭシンボル４０１および第２のＯＦＤＭシンボルが最初にＰＤＣＣＨ送信に対し割り当てられる場合、ＲＳ２，ＲＳ３に対する位置が利用可能であっても、ＵＥにおける処理についてＲＳ０，ＲＳ１のみ最初に利用可能となってよい。ＲＳ０，ＲＳ１のみを最初に利用可能としてもよい理由は、ＲＳシンボルのオーバヘッドを最小化すること、または、例えば、４本のアンテナからのＲＳからユニキャスト制御情報自身が有意な利益を得ることがないことが含まれる。ＲＳ２，ＲＳ３は、次いで、最初にＲＳ０，ＲＳ１についてのみ構成されたＭＢＳＦＮサブフレームへ挿入されてもよい。
【００２１】
さらに、ＲＳ２，ＲＳ３は、ＲＳ０，ＲＳ１を含む第１のユニキャストＯＦＤＭシンボルへ挿入されてもよいが、ＲＳがサブキャリア６つずつ離間されている場合のオーバヘッドは非常に大きく、シンボルのうちの２／３は４つのアンテナからのＲＳについて用いられる。
【００２２】
一般に、挿入は置換またはパンクチャリングを介して行われてよい。１つのマルチキャストシンボルが置換されてもよく、ユニキャストＲＳ情報によってマルチキャストシンボルの一部のパンクチャリングが行われてもよい。アンテナ３，４からのＲＳに最初に用いられないユニキャストシンボルの一部のパンクチャリングが行われてもよい。
【００２３】
さらに、様々な実施形態では、ＭＢＳＦＮサブフレームが一体にクラスタ化される場合、システムに対するそのようなユニキャストＲＳ置き換えの影響は最小化される。
図４に示した方法は、ＭＢＳＦＮまたはＭＣＨ割当サブフレームにおいて、必要となるまで、すなわち、ＭＩＭＯに対応したユニキャスト送信の再開始の直前までの不要なＲＳの供給によるスペクトル効率の損失を抑えることが可能である。この手法は、ＭＢＳＦＮまたはＭＣＨサブフレームが特定の時間間隔（リソース割当間隔またはスーパーフレームとも呼ばれる）において１つまたは複数のグループにクラスタ化されている場合、最も効率的である。一部の実施形態では、ＭＢＳＦＮまたはＭＣＨに関連する１群のサブフレームのうちの最後のサブフレームは、４つのアンテナ全てからのＲＳを有することができる。
【００２４】
したがって、図４に示した一実施形態では、ＭＩＭＯに対応したユニキャスト送信を含んでいる第１のサブフレームより前の１つのまたは一連のＭＢＳＦＮサブフレームにおいて、少なくとも第２のＯＦＤＭシンボルのユニキャスト送信が必要である。詳細には、全てのセル（すなわち、全てのｅＮＢ）がＭＢＳＦＮに参加するには、指定されたＭＢＳＦＮサブフレームにより２つ以上のユニキャスト制御シンボルを送信することが必要となる。
【００２５】
一部の実施形態では、そのようなＰＤＣＣＨ割当の配信は、各単一周波数領域（ＳＦＡ。ＭＢＳＦＮによってカバーされる領域）を通じた配信のためのトランスポートブロックの寸法を決定する際、半ば静的に構成されたＭＢＳＦＮサブフレームシーケンスに埋め込まれてもよく、ＭＣＥ（Ｍｕｌｔｉｃａｓｔ  Ｃｏｏｒｄｉｎａｔｉｏｎ  Ｅｎｔｉｔｙ）とも呼ばれる中央集約化されたエンティティによって組み込まれてもよい。さらに、様々な実施形態では、ＭＢＳＦＮサブフレームが一体にクラスタ化される場合、システムに対する追加のユニキャスト制御オーバヘッドの影響は最小化される。
【００２６】
図３および図４の実施形態は、周期的遅延ダイバーシチなどの単一ストリーム送信ダイバーシチ技術が、ユニキャスト送信ではなくＭＢＳＦＮまたはＭＣＨサブフレーム送信について（例えば、ＭＣＨに対するＲＳオーバヘッドを最小化するために）、またはユニキャスト送信の前の最終のＭＣＨサブフレームについて用いられる場合、非効率的であり得る。
【００２７】
そのような場合について、図５には、少なくとも第３および第４のアンテナに対する基準シンボルがＭＢＳＦＮサブフレーム５０１の後の第１のユニキャストサブフレーム５０３に位置する別の実施形態を示す。後続のユニキャストサブフレームの第１のユニキャストサブフレーム５０３は、ＭＣＨサブフレームにおいて観察可能でないアンテナに対する基準シンボルを含むために必要である。
【００２８】
次の、すなわち、第２のユニキャストサブフレームは、データ送信などの標準的な動作で開始してよい。この方法によってシステムに制約が置かれるので、様々な実施形態では、ＭＣＨサブフレームを１つの連続したブロックへとグループ化することによって、この制約を緩和することができる。図３および図４に関連して記載した実施形態を改良するために同様のグループ化手法が用いられることが理解される。
【００２９】
しかしながら、連続したＭＣＨサブフレームが充分に長いブロックを形成する場合、ユニキャストトラフィックにおけるギャップはユーザが認識する程になる（例えば、通常、音声についての１００ｍｓ以上のギャップは認識され得る）という不利が生じ得る。したがって、代替の一実施形態では、時間においてサイズが最大のＭＣＨサブフレームのバーストまたはクラスタを定義してよい。
【００３０】
図６は、様々な実施形態による基地局トランシーバまたはｅＮＢ６００のブロック図である。基地局トランシーバまたはｅＮＢは、これに代えてセルとも呼ばれる。ｅＮＢ６００は、１つまたは複数のトランシーバ６０１を備え、マルチアンテナ（図示せず）を備える。トランシーバ６０１は、１つまたは複数のプロセッサ６０３に接続されている。様々な実施形態では、１つまたは複数のプロセッサ６０３は、本明細書に記載の様々な実施形態において、ユニキャストサブフレームおよびマルチキャストサブフレームへアンテナ基準シンボルを含めるためのユニキャスト基準シンボル６０５モジュールを備える。
【００３１】
図６は例示を目的としたものに過ぎず、本開示によるモジュール６０５を示すものであり、基地局トランシーバ／ｅＮＢに必要な様々な構成要素およびそれらの間の接続の完全な概略図であることを意図したものでないことが理解される。したがって、ｅＮＢは、図６に示していない他の様々な構成要素を備えたところで、依然として本開示の範囲内にあるものである。
【００３２】
図７は、様々な実施形態による移動局の構成要素を示すブロック図である。移動局７００は、１つ以上のユーザインタフェース７０５と、１つ以上のプロセッサ７０３と、グラフィックディスプレイ７０７と、マルチアンテナから信号を受信可能な１つ以上のトランシーバ７０１とを備える。１つまたは複数のプロセッサ７０３は、本明細書に記載の様々な実施形態により移動局がアンテナ基準シンボルを検出し、ＣＱＩ測定を行うことができるように、シンボル復号モジュール７０９も備える。
【００３３】
図７は例示を目的としたものに過ぎず、本開示による移動局のシンボル復号モジュール７０９を示すものであり、移動局に必要な様々な構成要素およびそれらの間の接続の完全な概略図であることを意図したものでないことが理解される。したがって、移動局は、図７に示していない他の様々な構成要素を備えたところで、依然として本開示の範囲内にあるものである。
【００３４】
図８は、図３に示す実施形態によるｅＮＢの動作の方法を示すフローチャートである。８０１では、第１のアンテナ集合（１つ以上のアンテナを含む）の基準シンボルが、ｅＮＢによって定義される８０３では、基準シンボルを含む第１のサブフレーム上でユニキャストシンボルが送信される。８０５では、第１のアンテナの基準シンボルが、次のサブフレームの第２のアンテナまたはアンテナの集合に対する第１のサブフレームの同じＯＦＤＭシンボル番号位置にて、または他の適切なＯＦＤＭシンボル番号位置にて再定義される。８０７では、第２のサブフレームにおけるユニキャストシンボルが、第２のアンテナまたは第２のアンテナ集合の基準シンボルを含む。この基準シンボルは明示的に提供されなくてもよく、むしろ一部の実施形態では、基準シンボルの時間周波数位置、換言すると、ユニキャストアンテナ基準情報のみが、１つまたは複数の基準シンボルがＵＥによって取得されるように提供されてよい。
【００３５】
図９には、図４に対応するｅＮＢの動作の方法を示す。すなわち、９０１および９０３では、第１のアンテナまたは第１のアンテナ集合の基準シンボルを含む第１のサブフレーム上でユニキャストシンボルが送信される。９０５では、第２のアンテナまたは第２のアンテナ集合の基準シンボルを含む第２のユニキャストシンボルを送信するために、マルチキャストシンボル位置が定義される。第２のユニキャストシンボル（制御シンボルであってもよい）は、９０７にて、ＭＢＳＦＮサブフレームにより送信される。
【００３６】
図１０には、図５に示す実施形態によるｅＮＢの動作の方法を示す。すなわち、１００１においてアンテナシンボル情報を有する所与のマルチキャストサブフレームの後にユニキャストサブフレームが送信されたと仮定すると、続いて次のユニキャストサブフレーム上で基準シンボル情報が再送信される。
【００３７】
以上、ｅＮＢなどのマルチアンテナ基地局トランシーバがユニキャスト／ＭＢＭＳの混合構成においてキャリア周波数または周波数層を送信するように構成されるときにＣＱＩ測定値などの測定を可能とする、様々な実施形態について開示した。
【００３８】
好適な実施形態について図示および説明したが、本開示がそれに限定されないことが理解される。添付の特許請求の範囲に規定される本発明の精神および範囲から逸脱することなく、当業者には様々な修正、変更、変形、置換および均等物が想到される。
【図１】
0005585848.tif 000002
【図２】
0005585848.tif 000003
【図３】
0005585848.tif 000004
【図４】
0005585848.tif 000005
【図５】
0005585848.tif 000006
【図６】
0005585848.tif 000007
【図７】
0005585848.tif 000008
【図８】
0005585848.tif 000009
【図９】
0005585848.tif 000010
【図１０】
0005585848.tif 000011